(57)【要約】【課題】  埋設作業に際して、穴を掘削する時間と労力とを減らすことが可能となる境界標を提供する。【解決手段】  本発明に係る境界標１は、土地の境界を示すための標識５が付される本体部２と、該本体部２の下端に連設され、任意の横断面のうち、面積が最大となる最大横断面が本体部２の任意の横断面よりも大きい抜止め部３とを備え、該抜止め部３は、少なくともその下部が横断面の面積を漸減しつつ下端に向かって先細りするように形成されることを特徴とする。【選択図】  図１
2006242877.tif 000002
【特許請求の範囲】
【請求項１】
土地の境界を示すための標識が付される本体部と、該本体部の下端に連設され、任意の横断面のうち、面積が最大となる最大横断面が本体部の任意の横断面よりも大きい抜止め部とを備え、該抜止め部は、少なくともその下部が横断面の面積を漸減しつつ下端に向かって先細りするように形成されることを特徴とする境界標。
【請求項２】
前記抜止め部は、その下部の横断面が前記最大横断面を下方に投影した投影領域の内側に位置するように形成される請求項１記載の境界標。
【請求項３】
前記抜止め部は、垂直軸に対して対称になるように形成される請求項１又は２記載の境界標。
【請求項４】
前記抜止め部は、下端が垂直軸と直交する方向の平面状となるように形成される請求項１乃至３の何れか一項に記載の境界標。
【請求項５】
前記抜止め部は、上端が平面状で、且つ最大横断面となるように形成される請求項１乃至４の何れか一項に記載の境界標。
【請求項６】
前記抜止め部は、一対の対向する垂直面が所定距離を保った平面状に形成される請求項１乃至５の何れか一項に記載の境界標。
【発明の詳細な説明】
【技術分野】
【０００１】
本発明は、隣接する土地の境界に埋設して、隣接地との境界を表示する境界標に関するものである。
【背景技術】
【０００２】
従来、土地の境界を表示するために、標識が付された柱状の杭を該標識が見えるように埋設していた。例えば、特許文献１のような四角柱状の杭がそうである。しかし、この種の杭は、引き抜こうとした際に、土砂に対して引っ掛かるものが何も設けられていないため、比較的地面から抜け易いという問題があった（例えば、特許文献１参照）。
【０００３】
そこで、これを防止するものとして、図５に示す如く、四角柱状に形成した本体部２’の下端に、横長直方体状の抜止め部３’を逆Ｔ字状になるよう連設し、埋設時に該抜止め部３’が土砂に引っ掛かることで抜け難くした境界標１’が提供されている。
【特許文献１】特開平９−１５９４５３号公報
【発明の開示】
【発明が解決しようとする課題】
【０００４】
ところで、図５に示す如く、従来の境界標１’は、抜止め部３’の下面が一端から他端に至るまでの平らな面で構成されている。従って、該境界標１’を埋設するためには、内周面が垂直で、且つ底面が水平な断面視コ字状の穴βを掘削する必要があった。
【０００５】
しかし、人がスコップ等の道具を使って穴を掘削する場合には、図６に示す如く、掘り始めは断面視緩やかな円弧状で、掘り進めるに従って、断面視放物線状（図６中のα’）、即ち穴の中心部の深度が最も深く、開口縁に近づくに従って深度が浅くなった穴となるのが自然である。
【０００６】
従って、この掘削した穴を前記抜止め部が入る形状とするためには、内周面が垂直で、底面が水平となるように掘り拡げて断面視コ字状の穴（図６中のβ）としなければならない。
【０００７】
これは、人がスコップ等の道具を使って掘削したときのみならず、油圧ショベル等の掘削機を使用して掘削した場合でも同様である。
【０００８】
従って、人がスコップ等の道具を使用したとしても、また、油圧ショベル等の掘削機を使用したとしても、従来の境界標１’を埋設するための断面視コ字状の穴βを掘削するためには、単に自然な形状の穴α’を掘削するのに比べて、さらに時間と労力とが必要となってくる。
【０００９】
そこで、本発明は、埋設作業に際して、穴を掘削する時間と労力とを減らすことが可能となる境界標を提供することを課題とする。
【課題を解決するための手段】
【００１０】
上記課題を解決すべく、本発明に係る境界標は、土地の境界を示すための標識が付される本体部と、該本体部の下端に連設され、任意の横断面のうち、面積が最大となる最大横断面が本体部の任意の横断面よりも大きい抜止め部とを備え、該抜止め部は、少なくともその下部が横断面の面積を漸減しつつ下端に向かって先細りするように形成されることを特徴とする。
【００１１】
上記構成の境界標によれば、前記抜止め部の少なくともその下部がその横断面の面積を下端に向かって漸減させつつ下端に向かって先細りしていることから、埋設するための穴の横断面も穴底に行くに従って漸減しつつ先細りした穴、換言すると、縦断面が放物線状となるような穴を掘ればよい。
【００１２】
これは前述の通り、人がスコップ等を使用し、また、油圧ショベル等の掘削機を使用して掘削した穴に近い形状であることから、底面を水平とし、内周面を垂直とした断面視コ字状の穴に比べ掘削作業の時間と労力とを大幅に減らすことができる。また、境界標が従来の逆Ｔ字状の境界標と同程度の大きさであれば、穴の掘削量も減らすことができ、より時間と労力とを減らすことができる。
【００１３】
また、前記抜止め部は、その下部の横断面が前記最大横断面を下方に投影した投影領域の内側に位置するように形成される構成とすることが好ましい。こうすることで、抜止め部の下端が前記投影領域の外側に位置する境界標に比べ、穴の掘削量が少なくてすみ、掘削作業の時間と労力とを減らすことができる。
【００１４】
さらに、前記抜止め部は、垂直軸に対して対称になるように形成される構成とすることが好ましい。こうすることで、穴を掘削する際、中心部が最も深い断面視左右対称の穴（断面視放物線状の穴）とすればよく、人がスコップ等を使用して掘削した自然な形状の穴に近くなり、掘削作業の時間と労力とを減らすことができる。
【００１５】
また、前記抜止め部は、下端が垂直軸と直交する方向の平面状となるように形成される構成とすることが好ましい。こうすることで、境界標を水平面に置いた際に、該境界標を支持しなくても自立することができるようになる。従って、埋設作業に際して掘削した穴の底面を、該抜止め部下端と同程度の大きさの水平面とするだけで、手を離して支持することなく自立させた状態で埋め戻し作業が行え、より時間と労力とを減らすことができる。
【００１６】
また、前記抜止め部は、上端が平面状で、且つ最大横断面となるように形成される構成とすることが好ましい。こうすることで、埋設後の該境界標は、引き抜き方向に対する抵抗が大きくなり、引き抜き難くなる。
【００１７】
また、前記抜止め部は、一対の対向する垂直面が所定距離を保った平面状に形成される構成とすることが好ましい。こうすることで、抜止め部の体積が減少するため、埋設作業に際して穴の掘削量が減り、掘削作業の時間と労力とを減らすことができる。また同時に、境界標自体も軽量化でき、埋設場所への運搬時の時間と労力とを減らすことができる。
【発明の効果】
【００１８】
以上のように、本発明は、埋設作業に際して、穴を掘削する時間と労力とを減らすことができる。
【発明を実施するための最良の形態】
【００１９】
以下、本発明に係る境界標の一実施形態について添付図面に基づき説明する。
【００２０】
本実施形態に係る境界標１は、図１に示す如く、本体部２とその下端に連設された抜止め部３とから構成される。該境界標１は鉄筋入りコンクリート製で一体成型されている。尚、境界標１は、鉄やステンレススチール等の金属材料製であってもよいし、合成樹脂製であってもよい。また、本体部２と抜止め部３とが別部材であってもよい。
【００２１】
本体部２は、横断面が正方形の四角柱状に形成される。該本体部２の上端面４には土地の境界を表示するための標識５が付されている。該標識５は、矢印であり、上端面４の対角線状に一つの角部を指すよう刻設されている。尚、標識５は、境界線や境界点を示すものであればよく、三角形や十字形等であってもよい。また、標識５は、上端面４に印刷、貼付、載設等によって付されてもよい。
【００２２】
抜止め部３は、本体部２と同幅を保った平面の正面６及び背面７と、本体部２の左右側面８，８の下端から突出した水平面で構成される受け面９，９と、該受け面９，９の外側端部から下方に行くに従って中心に向かって傾斜した斜面（抜止め部３の左右側面）１０，１０と、該斜面１０，１０の下端同士を繋ぐように形成された水平面（底面）１１とから構成されている。
【００２３】
より詳細に説明すると、正面６と背面７とは、本体部２と同幅の平行な平面であり、垂直軸に対して左右対称の逆台形状に形成されている。受け面９，９は、本体部２の左右側面８，８の下端から、左右水平方向に等距離だけ突出した矩形の平面として形成されている。斜面１０，１０は、該受け面９，９の外側端部（先端部）から、下方に行くに従って中心に向かって傾斜、即ち、互いに近づく方向に傾斜しており、その傾斜角（受け面９と斜面１０とのなす角）は左右共に等しい。水平面１１は、斜面１０，１０の下端同士を繋ぐ正方形の平面として形成される。該水平面１１は、本体部２の任意の横断面形状と同一であり、上面又は底面方向から見ると周縁が重なるような位置関係にある。
【００２４】
その結果、抜止め部３は、その任意の横断面が矩形であって、該矩形は正面６及び背面７と交わる一対の対向辺が本体部２と常に同幅の平行な辺であり、抜止め部３の左右側面１０，１０と交わるもう一対の対向辺は抜止め部３の下方側に行くに従って互いの距離が近くなる平行な辺である。即ち、抜止め部３は、矩形横断面の対向辺のうち、長辺の対向辺の長さがしだいに収縮することで面積が漸減しつつ下端に向かって先細りしている。
【００２５】
次に、前記境界標１の埋設方法を説明する。先ず、図２に示す如く、境界標１を埋設するための穴αを掘削する。該穴αは、深さを少なくとも上端面４が地表に露出する程度の深さとし、底面は、境界標１の底面１１よりやや広い水平面となるよう掘削する。
【００２６】
次に、前記掘削した穴に境界標１を入れる。そして、土地の境界と境界標１の上端面４に付された標識５とを一致させるよう境界標１を水平方向にずらし、又は回転させながら位置を微調整する。その際、境界標１の底面１１は水平面なので、境界標１は支持しなくても自立することから、一人でも作業を容易に行うことができる。
【００２７】
その後、掘削した土砂を穴に戻して境界標１を固定する。この場合も、境界標１は自立しているため、倒れないように他の人に支持してもらう必要も、器具等を使って固定する必要もないことから、一人で作業を容易に行うことができる。
【００２８】
以上のように、本実施形態によれば、境界標１の埋設作業に際して掘削する穴αは、最深部をわずかに水平面とした断面視放物線状であればよいことから、図６に示したような自然に掘削した穴α’の形状に近い。従って、従来の境界標１’を埋設するための断面視コ字状の穴βに比べ掘削作業の時間と労力とを減らすことができる。
【００２９】
また、境界標１と境界標１’とが同程度の大きさであれば、図２と図５とからわかるように、境界標１の埋設作業に際して掘削する断面視放物線状の穴αは、断面視コ字状の穴βの底面の両角部分を掘削する必要がないので、穴βよりも掘削量が少ない。また、掘削量が少なければ、境界標１を穴αに入れた後の埋め戻す際の土砂の量も少なくてすむ。その結果、掘削及び埋め戻しの両作業において時間と労力とを減らすことができる。
【００３０】
さらに、両境界標が同程度の大きさであれば、境界標１の方が境界標１’よりも底面積が小さいことから、掘削した穴に境界標を入れ、ずらしたり、左右に回転させて位置の微調整を行う際に、境界標１の方が地面との摩擦抵抗が少ない。従って、境界標１は、境界標１’よりも少ない力で位置の微調整を行うことができる。加えて、境界標１は、境界標１’よりも抜止め部の正面視下端両側の角部が切欠かれているぶん、体積が小さくより軽量である。その結果、運搬や位置の微調整等が小さな力できる。従って、運搬や、位置合わせ作業の時間と労力とを減らすことができる。
【００３１】
従って、境界標１と境界標１’とが同程度の大きさであれば、境界標１は、従来の境界標１’に比べ、掘削、位置決め及び運搬の各作業の時間と労力とをそれぞれ減らすことができる。その結果、境界標１の埋設作業に際して、トータルの作業時間と労力とを大幅に減らすことができる。
【００３２】
尚、本発明に係る境界標は、上記実施形態に限定されるものではなく、本発明の要旨を逸脱しない範囲内で種々の変更が可能である。
【００３３】
例えば、上記実施形態では、抜止め部３が正面視矩形の下方両側の両角部を切欠いた形状に形成されるが、図３（イ）又は（ロ）に示す如く、前記抜止め部の正面視形状は円形の抜止め部３Ａや三角形の抜止め部３Ｂであってもよく、他には、半円形、菱形、五角形等の抜止め部であってもよい。但し、例えば円形の抜止め部３Ａは板状体であってもよく、球体であってもよい。また、三角形の抜止め部３Ｂは、板状体、円錐、多角錐であってもよい。
【００３４】
また、上記実施形態は、抜止め部３の横断面の面積が連続的に漸減しつつ下端に向かって先細りするように形成されている。しかし、抜止め部の横断面の断面積が断続的に漸減しつつ下端に向かって先細りするように形成されてもよい。例えば、図３（ハ）又は（ニ）に示す如く、正面視両側辺が階段状に形成された抜止め部３Ｃでもよく、矩形の下辺中央を下方Ｖ字状に突出させた抜止め部３Ｄでもよい。
【００３５】
また、上記実施形態では、下端に平滑な底面１１を備えた抜止め部３であるが、位置の微調整をする際に、接地する面積が大きい程摩擦抵抗が大きくなり、作業に多くの時間と労力とが必要になる。そこで、地面との接地面積を減らして微調整にかかる時間と労力とを減らすために、底面に円錐や円柱の凹部を備えた抜止め部３Ｅでもよく、また、抜止め部が板状体であれば、下端に水平方向の溝を備えた抜止め部でもよい。
【００３６】
また、図３（ヘ）に示す如く、正面視垂直軸に対して左右非対称の抜止め部３Ｆであってもよく、図３（ト）に示す如く、下端部が上辺を下方に投影した投影領域の外側に位置する抜止め部３Ｇであってもよい。
【００３７】
さらに、上記実施形態では、真っ直ぐな柱体の本体部２が抜止め部３の上端面中央に垂直上方に向かって立設している。しかし、柱状の本体部は斜めに立設していてもよく、屈曲又は湾曲した柱体であってもよい。また、図４（イ）又は（ロ）に示す如く、本体部は、上方に向かって先細りするよう形成した本体部２Ａでもよく、上下方向の中間が最も横断面積が大きくなるよう形成した本体部２Ｂでもよい。即ち、本体部の横断面積が抜止め部の最大横断面の面積より小さければ、上下において常に一定の面積である必要はない。
【図面の簡単な説明】
【００３８】
【図１】本発明の一実施形態に係る境界標であって、（イ）は斜視図を示し、（ロ）は正面図を示す。
【図２】同実施形態に係る境界標の埋設時の掘削範囲及び埋設状態を示す。
【図３】（イ）乃至（ト）は、同実施形態に係る境界標の抜止め部の変形例についての正面断面図を示す。
【図４】（イ）及び（ロ）は、同実施形態に係る境界標の本体部の変形例についての正面断面図を示す。
【図５】従前の境界標の埋設時の掘削範囲及び埋設状態を示す。
【図６】人が自然に穴を掘削していく際の、穴の縦断面形状を示す。
【符号の説明】
【００３９】
１…境界標、２…本体部、３…抜止め部、４…上端面、５…標識、６…抜止め部の正面、７…抜止め部の背面、８…本体部の側面、９…受け面、１０…斜面、１１…底面
【図１】
2006242877.tif 000003
【図２】
2006242877.tif 000004
【図３】
2006242877.tif 000005
【図４】
2006242877.tif 000006
【図５】
2006242877.tif 000007
【図６】
2006242877.tif 000008